(57)【特許請求の範囲】
【請求項１】
液晶表示パネルと回路基板とをフレキシブル配線基板を介して導電接続した液晶表示モジュールにおいて、
前記液晶表示パネルには、少なくとも一つの半導体チップが搭載され、前記フレキシブル配線基板には、該半導体チップに導電接続される少なくとも一組の入力配線及びダミー配線を設け、該ダミー配線が前記入力配線の両側に設けられ、前記回路基板に接地端子を設け、前記ダミー配線の一端部を前記液晶表示パネルに接続するとともに、他端部を前記回路基板の接地端子に導電接続したことを特徴とする液晶表示モジュール。
【請求項２】
前記半導体チップは、前記液晶表示パネルに複数搭載され、前記フレキシブル配線基板に設けられる前記入力配線は該複数の半導体チップに導電接続される複数組の前記入力配線からなり、前記ダミー配線は、これら複数組の前記入力配線の各両側に設けられていることを特徴とする請求項１記載の液晶表示モジュール。
【請求項３】
前記液晶表示パネルにおける前記フレキシブル配線基板の前記ダミー配線に対応する部分には導電性薄膜が設けられ、該導電性薄膜に前記ダミー配線が導電接続されていることを特徴とする請求項１または２記載の液晶表示モジュール。
【請求項４】
前記導電性薄膜が前記半導体チップの近傍まで延びていることを特徴とする請求項３記載の液晶表示モジュール。
【請求項５】
前記ダミー配線の少なくとも一端部が複数に分かれていることを特徴とする請求項１〜４記載の液晶表示モジュール。
【発明の詳細な説明】
【０００１】
【産業上の利用分野】
この発明は液晶表示モジュールに関する。
【０００２】
【従来の技術】
図４は従来の液晶表示モジュールの一例を示したものである。この液晶表示モジュールでは、液晶表示パネル１、４つの半導体チップ２〜５、フレキシブル配線基板６、制御回路用回路基板７等を備えている。このうち液晶表示パネル１はガラス等からなる２枚の透明基板８、９間に液晶（図示せず）が封入されたものからなっている。上側の透明基板８の一端部は下側の透明基板９の外側に突出され、この突出部の下面には所定の３つの半導体チップ２〜４が搭載されている。また、下側の透明基板９の一端部は上側の透明基板８の外側に突出され、この突出部の上面には残りの１つの半導体チップ５が搭載されている。
【０００３】
フレキシブル配線基板６は、方形状の本体部分６ａと、この本体部分６ａから分岐され且つ途中で１８０度折り曲げられたほぼＬ字状の分岐部分６ｂとからなっている。本体部分６ａの上面には複数本で１組の入力配線１０が３組設けられ、分岐部分６ｂおよびその近傍の本体部分６ａの上面には複数本で１組の入力配線１１が設けられている。そして、３組の入力配線１０の一端部は上側の透明基板８の突出部の下面に設けられ且つ各半導体チップ２〜４と導電接続された３組の入力側接続端子（図示せず）に異方導電性接着剤（図示せず）を介して導電接続され、他端部は回路基板７の一端部下面に設けられた３組の接続端子（図示せず）に異方導電性接着剤（図示せず）を介して導電接続されている。また、残りの１組の入力配線１１の一端部は下側の透明基板９の突出部の上面に設けられ且つ半導体チップ５と導電接続された１組の入力側接続端子（図示せず）に異方導電性接着剤（図示せず）を介して導電接続され、他端部は回路基板７の一端部下面に設けられた１組の接続端子（図示せず）に異方導電性接着剤（図示せず）を介して導電接続されている。
【０００４】
【発明が解決しようとする課題】
しかしながら、従来のこのような液晶表示モジュールでは、液晶表示パネル１とフレキシブル配線基板６との導電接続部分や液晶表示パネル１の半導体チップ２〜５が搭載されている付近に静電気が帯電した場合、半導体チップ２〜５が静電破壊されることがあるという問題があった。
この発明の目的は、液晶表示パネルに帯電した静電気を除電することができる液晶表示モジュールを提供することにある。
【０００５】
【課題を解決するための手段】
この発明は、液晶表示パネルと回路基板とをフレキシブル配線基板を介して導電接続した液晶表示モジュールにおいて、前記液晶表示パネルには、少なくとも一つの半導体チップが搭載され、前記フレキシブル配線基板には、該半導体チップに導電接続される少なくとも一組の入力配線及びダミー配線を設け、該ダミー配線が前記入力配線の両側に設けられ、前記回路基板に接地端子を設け、前記ダミー配線の一端部を前記液晶表示パネルに接続するとともに、他端部を前記回路基板の接地端子に導電接続したものである。
【０００６】
【作用】
この発明によれば、液晶表示パネルがフレキシブル配線基板のダミー配線を介して接地されているので、液晶表示パネルに帯電した静電気を速やかに除電することができる。したがって、液晶表示パネルに搭載された半導体チップの静電破壊を防止することができる。
【０００７】
【実施例】
図１はこの発明による液晶表示モジュールの一実施例を示したものである。この図において、図４と同一部分には同一の符号を付し、その説明を適宜省略する。この液晶表示モジュールでは、フレキシブル配線基板６の３組の入力配線１０の各両側にダミー配線２１が設けられ、また残りの１組の入力配線１１の両側にもダミー配線２２が設けられている。回路基板７の一端部下面には、図示していないが各ダミー配線２１、２２に対応して他端部側が接地された接地端子が設けられている。そして、３組の入力配線１０の各両側のダミー配線２１の一端部は上側の透明基板８の突出部の下面に異方導電性接着剤（図示せず）を介して接続され、他端部は回路基板７の対応する接地端子に異方導電性接着剤（図示せず）を介して導電接続されている。残りの１組の入力配線１１の両側のダミー配線２２の一端部は下側の透明基板９の突出部の上面に異方導電性接着剤（図示せず）を介して接続され、他端部は回路基板７の対応する接地端子に異方導電性接着剤（図示せず）を介して導電接続されている。
【０００８】
このように、フレキシブル配線基板６の各半導体チップ２〜５に対応した４組の入力配線１０、１１の各両側にダミー配線２１、２２が設けられ、液晶表示パネル１の各半導体チップ２〜５の両側の近傍部分が各ダミー配線２１、２２を介して接地されているので、液晶表示パネル１の各半導体チップ２〜５の両側の近傍部分に帯電した静電気は各ダミー配線２１、２２を介して速やかに流れ去り、効果的に除電することができ、この結果各半導体チップ２〜５の静電破壊を防止することができる。
【０００９】
なお、例えば、図２に示すように、フレキシブル配線基板６の本体部分６ａの左端部に位置するダミー配線２１の一端部を２つに分け、他端部を３つに分けるようにしてもよい。この場合、ダミー配線２１の接着面積が広くなるので、液晶表示パネル１や回路基板７との接着力が向上し剥離しにくくなる。但し、ダミー配線２１の少なくとも一方の端部を複数に分ければよく、ダミー配線２１の一端部を２つに分け、他端部を３つに分けることに限定されない。また、フレキシブル配線基板６の本体部分６ａにおける左端部以外の部分に位置するダミー配線２１や分岐部分６ｂに位置する両ダミー配線２２についても同様に、その端部を複数に分けるようにしてもよい。
また、例えば、図３に示すように、上側の透明基板８の突出部の下面の半導体チップ２の両側であって、ダミー配線２１に対応する部分に半導体チップ２の近傍に延びるほぼ平面六角形状のＩＴＯ薄膜（導電性薄膜）２３を設け、各ＩＴＯ薄膜２３にダミー配線２１の一端部を異方導電性接着剤（図示せず）を介して導電接続するようにしてもよい。この場合、両ＩＴＯ薄膜２３が半導体チップ２の近傍まで延びているので、上側の透明基板８の突出部の下面の半導体チップ２の近傍の静電気をより一層効果的に除電することができ、半導体チップ２の静電破壊をより一層防止することができる。
【００１０】
【発明の効果】
以上説明したように、この発明によれば、半導体チップが搭載された液晶表示パネルがフレキシブル配線基板のダミー配線を介して接地されているので、液晶表示パネルに帯電した静電気を、ダミー配線を介して効果的に除電することができる。したがって、液晶表示パネルに搭載された半導体チップの静電破壊を防止することができる。また、請求項３記載の発明によれば、液晶表示パネルのダミー配線に対応する部分に導電性薄膜を設け、この導電性薄膜にダミー配線を導電接続しているので、液晶表示パネルのダミー配線に対応する部分の静電気をより一層効果的に除電することができる。したがって、液晶表示パネルに搭載された半導体チップの静電破壊をより一層防止することができる。さらに、請求項５記載の発明によれば、フレキシブル配線基板のダミー配線の少なくとも一端部が複数に分かれているので、例えば液晶表示パネルとの接着力が向上し剥離しにくいようにすることができる。
【図面の簡単な説明】
【図１】この発明による液晶表示モジュールの一実施例の平面図。
【図２】この発明による液晶表示モジュールの他の実施例の要部を示す平面図。
【図３】この発明による液晶表示モジュールの別の他の実施例の要部を示す平面図。
【図４】従来の液晶表示モジュールの平面図。
【符号の説明】
１  液晶表示パネル
２〜５  半導体チップ
６  フレキシブル配線基板
７  回路基板
２１、２２  ダミー配線
２３  ＩＴＯ薄膜（導電性薄膜）
【図１】
0003560177.tif 000002
【図２】
0003560177.tif 000003
【図３】
0003560177.tif 000004
【図４】
0003560177.tif 000005